(57)【要約】【課題】  メンテナンス性および組立性が良好な遊技機の提供を目的としている。【解決手段】  本発明の遊技機１において、開閉扉１１は、開閉扉１１に対する一対の機器１５，３０の設置方向と略直交する方向で開閉し、一対の機器１５，３０は、開閉扉１１が閉位置に位置された際には、筐体１０からの分離が開閉扉１１によって規制されるとともに、開閉扉１１が開位置に位置された際には、開閉扉１１による規制が解除され、筐体１０から分離できる。更に、本発明の遊技機１は、筐体１０から分離された機器１５，３０を筐体１０に対して位置決めする位置決め手段７４，７６，７８を備えている。【選択図】図７
2005144128.tif 000002
【特許請求の範囲】
【請求項１】
遊技に必要な各種装置を組み込んで成る筐体と、
前記筐体に設けられ、筐体の内部を外部に対して開放する開位置と、筐体の内部を外部に対して閉塞する閉位置との間で開閉する開閉扉と、
前記開閉扉の両側に位置して前記筐体に設置され、遊技に必要な各種の操作または処理を行なうための一対の機器と、
を備え、
前記開閉扉は、開閉扉に対する前記一対の機器の設置方向と略直交する方向で開閉し、
前記一対の機器は、前記開閉扉が前記閉位置に位置された際には、前記筐体からの分離が前記開閉扉によって規制されるとともに、前記開閉扉が前記開位置に位置された際には、前記開閉扉による規制が解除され、前記筐体から分離でき、
前記筐体から分離された機器を前記筐体に対して位置決めする位置決め手段を更に備えていることを特徴とする遊技機。
【請求項２】
前記位置決め手段は、前記筐体または前記機器の一方に設けられた凸部と、前記筐体または前記機器の他方に設けられ且つ前記凸部と係合可能な凹部とから成ることを特徴とする請求項１に記載の遊技機。
【発明の詳細な説明】
【技術分野】
【０００１】
本発明は、各種の遊技が行なえる遊技機に関する。
【背景技術】
【０００２】
一般に、遊技機には、その遊技の態様、及びそのような遊技を実行する遊技装置を組み込んでいる筐体に関し、様々な形態のものが知られている。例えば、遊技機の一つとして知られているスロットマシンには、特許文献１に開示されているように、着座して遊技するタイプ（スラント型とも称される）のものや、立って遊技するタイプ（アップライト型とも称される）のものが知られている。
【０００３】
このようなスロットマシンは、一般に、それぞれ図柄が描かれた複数の回転リールを横一列に回転可能に配設して成るリールユニットを含む遊技装置と、この遊技装置を内部に組み込んだ筐体とを備えている。また、前記筐体には、前記回転リールを視認できる表示部と、この表示部の前方下側（遊技者側）に設置され且つ遊技を行なう上で必要とされる各種の操作ボタンやコイン投入口を有する操作部とが設けられている。また、前記筐体には、前記表示部の後方上側に、タッチパネル等の入力装置や、遊技に必要な情報を記憶したカードを読み取るカードリーダ等の機器も設置されている。
【特許文献１】特開２００３−６７８１０号公報
【発明の開示】
【発明が解決しようとする課題】
【０００４】
ところで、前述した構成のスロットマシンの中には、前記表示部が開閉扉として形成されているものがある。この開閉扉は、例えばヒンジ機構により前記筐体に対して開閉可能に取り付けられており、筐体の内部を外部に対して閉塞する閉位置（通常の遊技状態）から上側に回動して、筐体の内部を外部に対して開放するようになっている。
【０００５】
しかしながら、このように前記開閉扉が上側に開放されると、前記開閉扉の後方上側に設置された入力装置やカードリーダ等の前記機器が開放された開閉扉によって隠れてしまうため、開閉扉によって開放された筐体内の遊技装置のメンテナンスを行なう際に、そのメンテナンスに伴う前記機器の操作がしづらくなったり、前記機器をメンテナンス中に目視することが困難になるという問題が生じる。
【０００６】
また、前述した構成のスロットマシンにおいては、入力装置やカードリーダ等の前記機器や前記操作部が、一般に、ネジ止などの固定手段により前記筐体に対して取り外し可能に装着されているため、これらを分解してメンテナンスする際には、いちいちネジを緩めて取り外す必要があり、分解メンテナンスおよび組立が非常に面倒であるという問題もある。しかしながら、その一方で、前記筐体に対する前記機器の位置決め固定は、ネジ止めレベルのものが必要とされる。
【０００７】
本発明は、前記事情に着目してなされたものであり、その目的とするところは、メンテナンス性および組立性が良好な遊技機を提供することにある。
【課題を解決するための手段】
【０００８】
前記課題を解決するために、請求項１に記載された遊技機は、遊技に必要な各種装置を組み込んで成る筐体と、前記筐体に設けられ、筐体の内部を外部に対して開放する開位置と、筐体の内部を外部に対して閉塞する閉位置との間で開閉する開閉扉と、前記開閉扉の両側に位置して前記筐体に設置され、遊技に必要な各種の操作または処理を行なうための一対の機器とを備え、前記開閉扉は、開閉扉に対する前記一対の機器の設置方向と略直交する方向で開閉し、前記一対の機器は、前記開閉扉が前記閉位置に位置された際には、前記筐体からの分離が前記開閉扉によって規制されるとともに、前記開閉扉が前記開位置に位置された際には、前記開閉扉による規制が解除され、前記筐体から分離でき、前記筐体から分離された機器を前記筐体に対して位置決めする位置決め手段を更に備えていることを特徴とする。
【０００９】
この請求項１に記載された遊技機によれば、前記開閉扉は、この開閉扉に対する前記一対の機器の設置方向と略直交する方向で開閉するため、前記開閉扉を開放しても、前記開閉扉の両側に設置された前記機器が開放された開閉扉によって隠れてしまうことがない。そのため、開閉扉によって開放された筐体内の各種装置のメンテナンスを行なう場合にも、そのメンテナンスに伴う前記機器の操作がやり易く、また、メンテナンス中に前記機器を何ら障害無く目視することができる。すなわち、請求項１に記載された遊技機によれば、メンテナンス性が非常に良好となる。
【００１０】
また、上記構成において、前記一対の機器は、ネジ等の固定手段によってではなく開閉扉によって筐体からの分離（取り外し）が規制され、開閉扉の開閉動作によって筐体に対して着脱されるため、組立工数の削減および分解メンテナンス性の向上を図ることができる。すなわち、前記一対の機器は、前記開閉扉が前記閉位置に位置された際には、前記筐体からの分離が前記開閉扉によって規制されるとともに、前記開閉扉が前記開位置に位置された際には、前記開閉扉による規制が解除され、前記筐体から分離できるようになっているため、これらの機器を分解してメンテナンスする際には、いちいちネジを緩めて取り外す必要はなく、単に開閉扉を開放するだけで済む。したがって、分解メンテナンス性が非常に良好となる。一方、前記機器を筐体に対して分離不可能に取り付ける場合には、開閉扉を閉じるだけで済むため、ネジを締める等の工数を削減でき、組立性が向上する。また、このような開閉扉の開閉による両側の機器の一括した着脱は、「開閉扉に対する前記一対の機器の設置方向と略直交する方向で前記開閉扉が開閉する」ことで、開閉扉が両方の機器に対して同時に離間し或いは接近するからこそ実現し得るものである。
また、上記構成においては、前記筐体から分離された機器を前記筐体に対して位置決めする位置決め手段が設けられている。そのため、筐体から分離された機器を筐体に対して再度取り付ける際、面倒な位置調整を行なう必要がなくなり、組立性が向上する。
【００１１】
なお、上記構成において、「開閉扉に対する前記一対の機器の設置方向と略直交する方向で開閉する」とは、例えば、前記一対の機器が開閉扉の上下に位置している場合には、開閉扉が略左右方向で開閉することを意味し、一方、前記一対の機器が開閉扉の左右に位置している場合には、開閉扉が略上下方向で開閉することを意味している。また、前記開閉扉の開閉動作形態としては、ヒンジ結合等による回動や、ガイドレール等に沿うスライド動作など、周知の任意の形態を採用することができる。また、前記開閉扉の両側に設置される前記機器としては、遊技に必要な各種の操作を行なうための操作手段を有する操作部や、タッチパネル（液晶装置）等の入力装置、遊技に必要な情報を記憶したカードを読み取るカードリーダ等を挙げることができる。
【００１２】
また、請求項２に記載された遊技機は、請求項１に記載された遊技機において、前記位置決め手段が、前記筐体または前記機器の一方に設けられた凸部と、前記筐体または前記機器の他方に設けられ且つ前記凸部と係合可能な凹部とから成ることを特徴とする。
したがって、この請求項２に記載の遊技機によれば、請求項１と同様の作用効果を得ることができるとともに、凹凸係合によって機器を筐体に対して位置決めできるため、筐体に対する機器の再セットを簡単な構成により精度良く行なうことができる。
【発明の効果】
【００１３】
本発明によれば、メンテナンス性および組立性が良好な遊技機を提供することができる。
【発明を実施するための最良の形態】
【００１４】
以下、図面を参照しながら、本発明の一実施形態について具体的に説明する。なお、以下の実施形態では、遊技機として、スラント型のスロットマシンを例示して説明する。
【００１５】
図１は、本実施形態に係るスロットマシンの一例を示した斜視図である。図示のように、本実施形態に係るスロットマシン１は、それぞれ図柄が描かれた複数の回転リール３Ｌ，３Ｃ，３Ｒを横一列に回転可能に配設して成るリールユニットを含む遊技装置と、この遊技装置を内部に組み込んだ筐体１０とを備えている。
【００１６】
筐体１０は、筐体１０に対して開閉可能な開閉扉１１を備えている。本実施形態において、この開閉扉１１は、回転リール３Ｌ，３Ｃ，３Ｒが透過して視認できる透過型の液晶表示装置１２と、これを支持する枠体１３とによって構成されている。この場合、透過型の液晶表示装置１２は、保護ガラス、表示板、液晶パネル、導光板、反射フィルム、蛍光ランプから成り、遊技に応じて各種の動的な演出画像を表示したり、遊技者が遊技を有利に進めるために必要な情報の表示等を行なうことができる。また、枠体１３は、液晶パネル駆動用のＩＣを搭載したテーブルキャリアパッケージ（ＴＣＰ）等から成る。なお、開閉扉１１は、着座した状態で回転リール３Ｌ，３Ｃ，３Ｒが視認し易いように、その閉位置において、水平方向に対して後方側が上昇するように傾斜している。
【００１７】
また、筐体１０は、開閉扉１１の手前側（遊技者側）下方に、開閉扉１１よりも緩やかな傾斜面を有する台座部（機器）１５を備えている。この台座部１５には、遊技を行なう上で必要とされる各種の操作手段としての遊技ボタン１６（ＢＥＴボタン、リール回転ボタン、リール停止ボタン等）や、コインを投入する投入口１７等が形成されている。また、筐体１０は、開閉扉１１の後方上側に、カードリーダ（機器）３０を備えている。このカードリーダ３０は、カード挿入口３０ａから挿入されるカードに記録された遊技に必要な情報を読み取ることができる。すなわち、本実施形態のスロットマシン１では、遊技に必要な各種の操作または処理を行なう一対の機器１５，３０が開閉扉１１の上下両側に位置して設けられているものである。
【００１８】
また、台座部１５の手前側には、これに隣接して、略水平面を有するアームレスト２０が設けられている。このアームレスト２０により、遊技者は、図示しない椅子に座った状態で、自分の腕をアームレスト２０に載せて、台座部１５に設けられた各種の遊技ボタン１６を疲れることなく容易に操作できる。
【００１９】
また、筐体１０は、カードリーダ３０の更に上側に、垂直状態に配置される正面パネル部２１を備えており、ここには、例えば、入賞図柄の組み合せや配当等を表示する配当表２２や、遊技中に遊技の興趣を増大するため、演出用の効果音を発音するスピーカ２５Ｌ，２５Ｒ等が設けられている。
【００２０】
ところで、本実施形態において、前記開閉扉１１は、開閉扉１１に対する一対の機器１５，３０の設置方向と略直交する方向で開閉するようになっている。具体的には、開閉扉１１は、これに対して上下に設置された台座部１５およびカードリーダ３０に対して左右に開閉するようになっており、更に具体的には、ヒンジ機構を介して、筐体１０の内部を外部に対して開放する開位置（図２の位置）と、筐体１０の内部を外部に対して閉塞する閉位置（図１の位置）との間で左側方に回動（例えば９０°以上回動）するようになっている。この場合、開閉扉１１と筐体１０との間には、開閉扉１１を開閉可能に支持するとともに、開閉扉１１の開放状態を維持可能な支持手段として、ガススプリング５０が介在して設けられている。このガススプリング５０は、ガスチャンバを形成するシリンダ５０ａと、シリンダ５０ａ内に進退自在に挿通され且つガス圧によって作動するピストン５０ｂとから成り、シリンダ５０ａの基端が筐体１０側に回動可能に取り付けられるとともに、ピストン５０ｂの先端が開閉扉１１の裏面に対して回動可能に取り付けられている。
【００２１】
また、本実施形態において、開閉扉１１の上下両側に設置された台座部１５およびカードリーダ３０は、ネジ等の固定手段によってではなく、ラッチや嵌め込み等の分離可能な任意の手段によって筐体１０に取り付けられるとともに、筐体１０からの分離が開閉扉１１のみによって規制されるようになっており、開閉扉１１の開閉動作によって筐体１０に対して着脱できるようになっている。
【００２２】
特に、本実施形態において、台座部１５は、図３に示されるように、ネジ等の別個の固定部材を全く必要とすることなく、例えば嵌め込み装着により、開閉扉１１と隣接する筐体１０の所定の領域に設置されるようになっている。具体的には、台座部１５は、その一方側が閉位置にある開閉扉１１によって上側から押さえ込まれ、その他方側がアームレスト２０側に嵌め込まれるようになっている。更に具体的には、図５に示されるように、台座部１５は、開閉扉１１と隣接する一方側に、開閉扉１１によって開放される筐体１０の開口６０へと斜めに突出する第１の突片１５ａを有しており、この第１の突片１５ａは、これに対応して開閉扉１１の裏面に突設された当接部１１ａによって上側から押え付けられるようになっている。また、台座部１５は、アームレスト２０と隣接する他方側の裏面に、Ｌ字型の第２の突片１５ｂを有しており、この第２の突片１５ｂは、アームレスト２０または筐体１０側から台座部１５に向けて直線状に延びる突出部４０の下側に潜り込むように係合することにより、台座部１５の上側への移動（図中Ｂ方向への移動）をその他方側で規制するようになっている。
【００２３】
一方、カードリーダ３０も、ネジ等の別個の固定部材を全く必要とすることなく、例えば嵌め込み装着により、開閉扉１１と隣接する筐体１０の所定の領域に設置されるようになっている。具体的には、カードリーダ３０は、その一方側が閉位置にある開閉扉１１によって上側から押さえ込まれ、その他方側が開閉扉１１と隣接する筐体１０の嵌め込み口５０（図３参照）に嵌め込み装着されるようになっている。更に具体的には、図５に示されるように、カードリーダ３０は、筐体１０の開口６０へと突出する第１の突片３０ｂが前面側に設けられている。また、これに対応して、開閉扉１１の裏面には、カードリーダ３０の第１の突片３０ｂに当て付いてこれを上側から押え付ける押え部１１ａが設けられている。また、カードリーダ３０には、その上面に、上側に突出する第２の突片３０ｃが設けられており、この第２の突片３０ｃは、嵌め込み口５０を通じて筐体１０の裏側の壁に潜り込むように当て付くことにより、カードリーダ３０の前方への移動（図中Ａ方向への移動）を規制するようになっている。
【００２４】
したがって、このような構成では、筐体１０に台座部１５およびカードリーダ３０を設置した状態で、開閉扉１１を前記閉位置（図１の位置）に位置させて筐体１０の開口６０を閉じると、開閉扉１１の裏面の押え部１１ａがカードリーダ３０の第１の突片３０ｂに当て付いてこれを上側から押え付けるとともに、開閉扉１１の裏面の当接部１１ａが台座部１５の第１の突片１５ａに当て付いてこれを上側から押え付ける。その状態が図５に示されている。この状態では、カードリーダ３０は、第１の突片３０ｂを介して開閉扉１１により上側から押え付けられているため、筐体１０の嵌め込み口５０から抜け出ることができず（嵌め込み口５０内に保持され）、したがって、筐体１０からの分離（取り外し）が規制される。一方、台座部１５も、その第１の突片１５ａを介して開閉扉１１により上側から押え付けられて筐体１０からの分離が規制される。
【００２５】
一方、図５の状態から開閉扉１１を前記開位置（図２および図４の位置）へと回動させると、開閉扉１１による規制が解除されるため、図３に示されるように、台座部１５およびカードリーダ３０を筐体１０から分離することができる。
【００２６】
また、本実施形態のスロットマシン１は、以上のようにして筐体１０から分離される機器(１５，３０)を筐体１０に対して位置決めする位置決め手段を備えている。一例として、本実施形態においては、前記位置決め手段が筐体１０と台座部１５との間にのみ設けられているが、筐体１０とカードリーダ３０との間に前記位置決め手段が設けられていても良いことは言うまでもない。
【００２７】
具体的に、筐体１０と台座部１５との間に設けられる前記位置決め手段は、投入口１７から投入されるコインを受ける筐体１０側のコイセレクタ７０と台座部１５との位置決めを行なうものであり、筐体１０側に設けられる凹部と、台座部１５側に設けられ且つ前記凹部と係合可能な凸部とから成る。更に具体的には、図６に示されるように、台座部１５の裏面（筐体１０に対する取り付け時に筐体１０と対向する面）には、台座部１５の角部の近傍（図６では、右下側）に位置して、互いに離間する一対の位置決めピン６０，６２が突設されている。また、台座部１５の角部には、これらの位置決めピン６０，６２の一方に隣接して、１つの係合突起６４が突設されている。
【００２８】
一方、図７に示されるように、筐体１０内でコイセレクタ７０を部分的に取り囲むように設置される枠体７２の一対のブラケット７２ａ，７２ａにはそれぞれ、台座部１５の対応する位置決めピン６０，６２が係合（挿通）可能なピン孔７４，７６が形成されている。また、筐体１０の端縁には、台座部１５の係合突起６４を弾性的に挟持可能な一対のローラ７８，７８が設けられている。
【００２９】
以上説明したように、本実施形態のスロットマシン１は、開閉扉１１の両側に一対の機器１５，３０が設置され、開閉扉１１に対する前記一対の機器１５，３０の設置方向と略直交する方向で開閉扉１１が開閉するようになっている。そのため、図２に示されるように開閉扉１１を開放しても、開閉扉１１の両側に設置された機器１５，３０が開放された開閉扉１１によって隠れてしまうことがない。したがって、開閉扉１１によって開放された筐体１０内の各種装置のメンテナンスを行なう場合にも、そのメンテナンスに伴う機器１５，３０の操作がやり易く（例えば、筐体１０内における各種装置のメンテナンス中に、カードリーダ３０や台座部１５の遊技ボタン１６を操作するといった作業がし易く）、また、メンテナンス中に機器１５，３０を何ら障害無く目視することができる。
【００３０】
また、本実施形態のスロットマシン１において、一対の機器としてのカードリーダ３０および台座部１５は、開閉扉１１が前記閉位置に位置された際には、筐体１０からの分離が開閉扉１１によって規制されるとともに、開閉扉１１が前記開位置に位置された際には、開閉扉１１による規制が解除され、筐体１０から分離できるようになっている。このように、カードリーダ３０および台座部１５が、ネジ等の固定手段によってではなく開閉扉１１によって筐体１０からの分離が規制され、開閉扉１１の開閉動作によって筐体１０に対して着脱されるようになっていれば、組立工数の削減および分解メンテナンス性の向上を図ることができる。すなわち、カードリーダ３０および台座部１５を分解してメンテナンスする際には、いちいちネジを緩めて取り外す必要はなく、単に開閉扉１１を開放するだけで済む。したがって、分解メンテナンス性が非常に良好となる。一方、カードリーダ３０および台座部１５を筐体１０に対して分離可能に取り付ける場合には、開閉扉１１を閉じるだけで済むため、ネジを締める等の工数を削減でき、組立性が向上する。
【００３１】
また、本実施形態のスロットマシン１は、筐体１０から分離された台座部１５を筐体１０に対して位置決めする（コインセレクタ７０に対する台座部１５の位置決めを行なう）位置決め手段を有している。そのため、筐体１０から分離された台座部１５を筐体１０に対して再度取り付ける際、面倒な位置調整を行なう必要がなくなり、組立性が向上する。特に、本実施形態において、前記位置決め手段は、筐体１０側に設けられた凹部と、台座部１５側に設けられ且つ前記凸部と係合可能な凹部とから成っている。そのため、筐体１０に対する台座部１５の再セットを簡単な構成により精度良く行なうことができる。
【００３２】
なお、本発明は、前述した実施形態に限定されることなく、その要旨を逸脱しない範囲で種々変形して実施できることは言うまでもない。例えば、前述した実施形態では、一対の機器１５，３０が開閉扉１１の上下に位置し、開閉扉１１が左右方向で開閉するようになっているが、一対の機器１５，３０が開閉扉１１の左右に位置している場合には、開閉扉１１は上下方向で開閉するようになっていても良い。また、前述した実施形態において、開閉扉１１は、ヒンジ結合による回動によって開閉するようになっているが、ガイドレール等に沿うスライド動作によって開閉しても良い。また、開閉扉１１の両側に設置される機器としては、台座部１５やカードリーダ３０の他、タッチパネル（液晶装置）等の入力装置を挙げることができる。また、前述した実施形態において、前記位置決め手段は、凹凸係合によって実現されているが、凹凸以外の任意の他の手法によって実現されても良い。また、前述した実施形態においては、前記位置決め手段として、筐体１０側に凹部が設けられ、台座部１５側に凸部が設けられているが、筐体１０側に凸部が設けられ、台座部１５側に凹部が設けられていても構わない。
【産業上の利用可能性】
【００３３】
本発明は、前述した実施形態で説明したようなスロットマシンの他、パチンコ機等、開閉扉の両側に機器を備える様々な遊技機に適用することが可能である。
【図面の簡単な説明】
【００３４】
【図１】本発明の一実施形態に係る遊技機としてのスロットマシンの斜視図である。
【図２】図１のスロットマシンにおいて開閉扉を開放した状態を示す要部拡大斜視図である。
【図３】図２の状態から台座部とカードリーダとを取り外した状態を示す分解斜視図である。
【図４】図１のスロットマシンにおいて開閉扉を開放した状態を示す要部拡大側面図である。
【図５】開閉扉を閉位置に位置させて、筐体からの台座部およびカードリーダの分離を規制した状態を模式的に示した要部概略図である。
【図６】台座部の裏面の平面図である。
【図７】台座部が設置される筐体側の内側部位の斜視図である。
【符号の説明】
【００３５】
１    スロットマシン
１０    筐体
１１  開閉扉
１５    台座部（機器）
３０    カードリーダ（機器）
６０，６２    位置決めピン（凸部）
７４，７６    ピン孔（凹部）
【図１】
2005144128.tif 000003
【図２】
2005144128.tif 000004
【図３】
2005144128.tif 000005
【図４】
2005144128.tif 000006
【図５】
2005144128.tif 000007
【図６】
2005144128.tif 000008
【図７】
2005144128.tif 000009